(57)【要約】【課題】めっき装置におけるリードフレームの洗浄装置に関するものであり、効率よく水洗を行え、洗浄装置の小型化が図れるものである。【解決手段】水洗槽１１、２１、３１の中に、側面のガイドプレート５、上方のガイドプレート４、下方のガイドプレート６を配置し、この中の水流を上げ、洗浄効果を高めることができ、水洗槽および給水ポンプが小型化でき、洗浄装置の小型化を図ることができるとともに設備のコストダウンを図ることができる。【選択図】図１
2005246247.tif 000002
【特許請求の範囲】
【請求項１】
めっきされたリードフレームを洗浄する洗浄装置において、洗浄槽の底部からリードフレームに向けて水を噴射する給水管と、水流が広がらないようにリードフレームが流れる方向にガイドプレートを配置したリードフレーム洗浄装置。
【請求項２】
上方にガイドプレートを配置し、上方に噴射した水を分散させて下方に強制的に落下させることを特徴とする請求項１記載のリードフレーム洗浄装置。
【請求項３】
下方にガイドプレートを配置し、上方および下方ガイドプレートの間に水が溜まることを特徴とする請求項２記載のリードフレーム洗浄装置。
【請求項４】
ガイドプレートは、めっき槽直後の回収槽、および、多段向流式の水洗槽に配置されていることを特徴とする請求項３記載のリードフレーム洗浄装置。
【発明の詳細な説明】
【技術分野】
【０００１】
本発明は、めっき装置におけるリードフレーム洗浄装置および洗浄方法に関する。
【背景技術】
【０００２】
電子部品となるリードフレームは、一般に以下の工程によって製造される。例えば、圧延材料を型抜きし、脱脂を行い、リードフレームにめっき層を形成すべき部分にめっきを施し、リード部分にもめっきを施してリードフレームを製造している。
【０００３】
リードフレームの洗浄は、一般に、図２に示すような多段向流式のリードフレーム洗浄設備によって行われている。リードフレーム洗浄装置は、例えば、第１段から第３段までの複数の水洗工程１０、２０、３０を持つ。第１水洗工程、第２水洗工程、第３水洗工程の構成は同一に構成されており、これらの水洗工程の洗浄は、緩やかに流れる水の中にリードフレームを浸漬することによって行われる。以下に、この洗浄装置を説明する。
【０００４】
第１水洗工程は、水洗槽１１の中に水洗槽７を有した構造から成る。水洗槽７には、リードフレーム４１を通すための開口部が形成されている。水洗槽１１の底部から排水管１３がタンク１７に導かれている。タンク１７には、タンク１７から排水するための排水管１６が設けられており、また、タンク１７には、新しい水を供給する給水管１５がつながれている。また、タンク１７内の水を給水管１２を介して水洗槽７に供給する給水ポンプ１４が設けられている。給水管１２は、水洗槽７の底部に連結されている。
【０００５】
次に、この第１水洗工程を説明する。リードフレーム４１は水洗槽１１の供給口から入れられて、水洗槽７を通り、水洗槽１１の排出口から排出される。洗浄のための水は給水管１５を通してタンク１７に蓄えられた水が用いられる。タンク１７の水は給水ポンプ１４、給水管１２を介して水洗槽７に供給される。供給された水は水流２、３の矢印に示すように、水洗槽７の開口部を通ってオーバーフローし、水洗槽１１に落ちるが、供給水量は、水洗槽７がいっぱいになり、リードフレーム４１を浸漬するように調整されている。水洗槽１１に落ちた水は、排水管１３を通してタンク１７に導かれる。タンク１７の水は所定の期間ごとに排水管１６のバルブを開き、排水管１６を通して排水される。この排水後、給水管１５のバルブを開き、給水管１５を通してタンク１７に水を供給する。前述のように、水洗槽７で水面をリードフレーム４１より上方に維持しているので、リードフレームは緩やかに流動する水により全面水洗されることになる。
【０００６】
第２水洗工程は、水洗槽２１の中に水洗槽７を有する二重構造から成る。水洗槽７には、リードフレーム４１を通すための開口部が形成されている。水洗槽２１の底部から排水管２３がタンク２７に導かれている。タンク２７には、タンク２７から排水するための排水管２６が設けられている。タンク２７には、下流側からオーバーフロー給水２５が行われて水洗槽２１に供給される。また、タンク２７内の水を給水管２２を介して水洗槽７に供給する給水ポンプ２４が設けられている。給水管２２は、水洗槽７の底部に連結されている。
【０００７】
次に、この第２水洗工程を説明する。リードフレーム４１は水洗槽２１の供給口から入れられて、水洗槽７を通り、水洗槽２１の排出口から排出される。下流側からオーバーフロー給水２５を通して水洗槽２１に水が供給され、排水管２３を通してタンク２７に蓄えられた水が用いられる。タンク２７の水は給水ポンプ２４、給水管２２を介して水洗槽７に供給され、供給された水は水流２、３の矢印に示すように水洗槽７の開口部を通ってオーバーフローし、水洗槽２１に落ちるが、供給水量は、水洗槽７がいっぱいになり、リードフレーム４１を浸漬するように調整されている。水洗槽２１に落ちた水は、排水管２３を通してタンク２７に導かれる。タンク２７の余分な水は、排水管２６を通して排水される。前述のように、水洗槽７で水面をリードフレーム４１より上方に維持しているので、リードフレームは緩やかに流動する水により全面水洗されることになる。
【０００８】
第３水洗工程は、水洗槽３１の中に水洗槽７を有した二重構造から成る。水洗槽７には、リードフレーム４１を通すための開口部が形成されている。水洗槽２１から上流側にオーバーフロー給水２５が行えるようになっている。また、新しい水を給水管３５を通して供給できるようになっている。水洗槽３１の底部から排水管３３、給水管３２を介して水洗槽７に供給する給水ポンプ３４が設けられている。給水管３２は、水洗槽７の底部に連結されている。
【０００９】
次に、この第３水洗工程を説明する。リードフレーム４１は水洗槽３１の供給口から入れられて、水洗槽７を通り、水洗槽３１の排出口から排出される。新しい水を給水管３５を通して水洗槽３１に供給し、排水管３３を通して水洗槽３１に蓄えられた水を給水ポンプ３４、給水管３２を介して水洗槽７に供給される。供給された水は、水流２、３の矢印に示すように水洗槽７の開口部を通ってオーバーフローし、水洗槽３１に落ちるが、供給水量は、水洗槽７がいっぱいになり、リードフレーム４１を浸漬するように調整されている。水洗槽３１に落ちた余分な水は、オーバーフロー給水２５として上流工程の水洗槽２１に供給される。前述のように、水洗槽７で水面をリードフレーム４１より上方に維持しているので、リードフレームは緩やかに流動する水により全面水洗されることになる。
【００１０】
次に、洗浄設備全体の洗浄工程を説明すると、リードフレーム４１は、第１水洗工程１０の水洗槽１１の開口部から供給され、第２水洗槽２０、第３水洗槽３０を通り、水洗槽３１の開口部から排出される。第１水洗槽１０の水洗槽７、第２水洗槽２０の水洗槽７、第３水洗槽３０の水洗槽７を通過中に洗浄される。
【００１１】
洗浄のための水は、より下流側に汚れていない水を下流側から上流側に供給するようになっている。即ち、水は、第３水洗工程３０において、給水管３５から水洗槽３１に供給され、その排水が水洗槽３１からオーバーフロー給水２５となり、第２水洗工程の水洗槽２１に供給される。第２水洗工程においては、水洗槽２１から排水管２３を通して、タンク２７に供給される。この水は、給水ポンプ２４によって給水管２２を通して、水洗槽７に供給され、その後、水洗槽２１に水が落ち、排水管２３を通してタンク２７に戻される。タンク２７に溜まった余分な水は、排水管２６により排水される。第１水洗工程においては、タンク１７に溜まっている水を給水ポンプ１４によって給水管１２を通して、水洗槽７に供給され、その後、水洗槽１１に水が落ち排水管１３を通してタンク１７に戻される。タンク１７の水は、所定の期間で排水管１６のバルブを開き排水管１６を通し排水される。次に、新しい水を給水管１５のバルブを開き給水管１５を通して新しい水を給水する。
【００１２】
なお、この出願の発明に関連する先行技術文献情報としては、例えば、特許文献１が知られている。
【特許文献１】特開平７−２５６２１９号公報
【発明の開示】
【発明が解決しようとする課題】
【００１３】
しかしながら、上記従来の構成では、フープに当たる水の流速が遅いため、フープを十分洗浄するためには、水洗槽の長さを十分取る必要がある。このため、水洗槽の大きさが大きくなり、給水ポンプ１４、２４、３４および水洗槽７、１１、２１、３１が大きくなるという問題点を有していた。
【００１４】
本発明は上記従来の課題を解決するもので、洗浄効果が高く、できるだけ小型化した洗浄装置を供給することを目的とするものである。
【課題を解決するための手段】
【００１５】
上記目的を達成するために、本発明は以下の構成を有する。
【００１６】
本発明の請求項１に記載の発明は、洗浄槽の底部からリードフレームに向けて水を噴射する給水管と、水流が広がらないようにリードフレームが流れる方向にガイドプレートを配置することを特徴とするリードフレーム洗浄装置であり、洗浄設備の小型化が図れるという効果がある。
【００１７】
本発明の請求項２に記載の発明は、上方にガイドプレートを配置し、上方に噴射した水を分散させて下方に強制的に落下させることを特徴とするリードフレーム洗浄装置であり、洗浄設備の小型化が図れるという効果がある。
【００１８】
本発明の請求項３に記載の発明は、下方にガイドプレートを配置し、下方のガイドプレートの間に水が溜まることを特徴とするリードフレーム洗浄装置であり、洗浄設備の小型化が図れるという効果がある。
【００１９】
本発明の請求項４に記載の発明は、ガイドプレートは、めっき槽直後の回収槽、および、多段向流式の水洗槽に配置されていることを特徴とするリードフレーム洗浄装置であり、洗浄設備の小型化が図れるという効果がある。
【発明の効果】
【００２０】
以上のように本発明によると、フープに当たる流速を速くすることができ、フープの洗浄効果を上げることができ、水洗槽および給水ポンプが小型化できる。このため、洗浄装置の小型化を図ることができ、その結果、設備のコストダウンを図ることができるという効果を有するものである。
【発明を実施するための最良の形態】
【００２１】
（実施の形態１）
以下、実施の形態１を用いて、本発明の特に請求項１〜４に記載の発明について説明する。
【００２２】
図１は本発明の実施の形態１における多段向流式のリードフレーム洗浄装置を示す概略図である。本発明のリードフレーム洗浄装置は、図１に示すように、第１段から第３段までの複数の水洗工程１０、２０、３０を持つ。第１水洗工程、第２水洗工程、第３水洗工程の構成は同一に構成されている。以下に、本発明の洗浄装置を説明する。
【００２３】
第１水洗工程は、水洗槽１１の中に、側面のガイドプレート５、上方のガイドプレート４、下方のガイドプレート６を配置する構成となる。側面のガイドプレート５の間にリードフレーム４１を通すようになっている。下方のガイドプレート６の底部から排水管１３がタンク１７に導かれている。タンク１７には、タンク１７から排水するための排水管１６が設けられている。タンク１７には、新しい水を供給する給水管１５がつながれている。また、タンク１７内の水を給水管１２を介して側面のガイドプレート５、上方のガイドプレート４、下方のガイドプレート６の中に、水を供給する給水ポンプ１４が設けられている。給水管１２は下方のガイドプレート６の底部に連結されている。
【００２４】
次に、この第１水洗工程を説明する。リードフレーム４１は水洗槽１１の供給口から入れられて、側面のガイドプレート５、上方のガイドプレート４、下方のガイドプレート６の中を通り、水洗槽１１の排出口から排出される。洗浄のための水は給水管１５を通してタンク１７に蓄えられた水が用いられる。タンク１７の水は給水ポンプ１４、給水管１２を介して側面のガイドプレート５、上方のガイドプレート４、下方のガイドプレート６の中に供給される。供給された水は水流１、２、３の矢印に示すように、側面のガイドプレート５、上方のガイドプレート４、下方のガイドプレート６の中を通って流れ出し、水洗槽１１に落ちるが、供給水量は、側面のガイドプレート５、上方のガイドプレート４、下方のガイドプレート６の中がいっぱいになり、リードフレーム４１を浸漬するように調整されている。水洗槽１１に落ちた水は、排水管１３を通してタンク１７に導かれる。タンク１７の水は所定の期間ごとに排水管１６のバルブを開き排水管１６を通して排水される。この排水後、給水管１５のバルブを開き給水管１５を通してタンク１７に水を供給する。前述のように、側面のガイドプレート５、上方のガイドプレート４、下方のガイドプレート６の中でリードフレーム４１全面を水で満たして維持しているので、リードフレームは水流により全面水洗されることになる。
【００２５】
第２水洗工程は、水洗槽２１の中に、側面のガイドプレート５、上方のガイドプレート４、下方のガイドプレート６を配置する構成となる。側面のガイドプレート５の間にリードフレーム４１を通すようになっている。水洗槽２１の底部から排水管２３がタンク２７に導かれている。タンク２７には、タンク２７から排水するための排水管２６が設けられている。タンク２７には、下流側からオーバーフロー給水２５が行われて水洗槽２１に供給される。また、タンク２７内の水を給水管２２を介して側面のガイドプレート５、上方のガイドプレート４、下方のガイドプレート６の中に、水を供給する給水ポンプ２４が設けられている。給水管２２は下方のガイドプレート６の底部に連結されている。
【００２６】
次に、この第２水洗工程を説明する。リードフレーム４１は水洗槽２１の供給口から入れられて、側面のガイドプレート５、上方のガイドプレート４、下方のガイドプレート６の中を通り、水洗槽２１の排出口から排出される。下流側からオーバーフロー給水２５を通して水洗槽２１に水が供給され、排水管２３を通してタンク２７に蓄えられた水が用いられる。タンク２７の水は給水ポンプ２４、給水管２２を介して側面のガイドプレート５、上方のガイドプレート４、下方のガイドプレート６の中に供給される。供給された水は水流１、２、３の矢印に示すように側面のガイドプレート５、上方のガイドプレート４、下方のガイドプレート６の中を通って流れ出し、水洗槽２１に落ちるが、供給水量は、側面のガイドプレート５、上方のガイドプレート４、下方のガイドプレート６の中がいっぱいになり、リードフレーム４１を浸漬するように調整されている。水洗槽２１に落ちた水は、排水管２３を通してタンク２７に導かれる。タンク２７の余分な水は排水管２６を通して排水される。前述のように、側面のガイドプレート５、上方のガイドプレート４、下方のガイドプレート６の中でリードフレーム４１全面を水で満たして維持しているので、リードフレームは水流により全面水洗されることになる。
【００２７】
第３水洗工程は、水洗槽３１の中に側面のガイドプレート５、上方のガイドプレート４、下方のガイドプレート６を配置する構成となる。側面のガイドプレート５の間に、リードフレーム４１を通すための開口部が形成されている。水洗槽３１から上流側にオーバーフロー給水２５が行えるようになっている。また、新しい水を給水管３５を通して供給できるようになっている。水洗槽３１の底部から排水管３３、給水管３２を介して側面のガイドプレート５、上方のガイドプレート４、下方のガイドプレート６の中に、水を供給する給水ポンプ３４が設けられている。給水管３２は下方のガイドプレート６底部に連結されている。
【００２８】
次に、この第３水洗工程を説明する。リードフレーム４１は水洗槽３１の供給口から入れられて、側面のガイドプレート５、上方のガイドプレート４、下方のガイドプレート６の中を通り、水洗槽３１の排出口から排出される。新しい水を給水管３５を通して水洗槽３１に供給し、排水管３３を通して水洗槽３１に蓄えられた水を給水ポンプ３４、給水管３２を介して側面のガイドプレート５、上方のガイドプレート４、下方のガイドプレート６の中に供給される。供給された水は水流１、２、３の矢印に示すように側面のガイドプレート５、上方のガイドプレート４、下方のガイドプレート６の中を通って流れ出し、水洗槽３１に落ちるが、供給水量は、側面のガイドプレート５、上方のガイドプレート４、下方のガイドプレート６の中がいっぱいになり、リードフレーム４１を浸漬するように調整されている。水洗槽３１に落ちた余分な水は、オーバーフロー給水２５として上流工程の水洗槽２１に供給される。前述のように、側面のガイドプレート５、上方のガイドプレート４、下方のガイドプレート６の中でリードフレーム４１全面を水で満たして維持しているので、リードフレームは水流により全面水洗されることになる。
【００２９】
次に、洗浄設備全体の洗浄工程を説明すると、リードフレーム４１は、第１水洗工程１０の水洗槽１１の開口部から供給され、第２水洗槽２０、第３水洗槽３０を通り、水洗槽３１の開口部から排出される。第１水洗槽１０の側面のガイドプレート５、上方のガイドプレート４、下方のガイドプレート６の間、第２水洗槽２０の側面のガイドプレート５、上方のガイドプレート４、下方のガイドプレート６の間、第３水洗槽３０の側面のガイドプレート５、上方のガイドプレート４、下方のガイドプレート６の間を通過中に洗浄される。
【００３０】
洗浄のための水は、より下流側に汚れていない水を下流側から上流側に供給するようになっている。即ち、水は、第３水洗工程３０において、給水管３５から水洗槽３１に供給され、その排水が水洗槽３１からオーバーフロー給水２５となり第２水洗工程の水洗槽２１に供給される。第２水洗工程においては、水洗槽２１から排水管２３を通して、タンク２７に供給される。この水は、給水ポンプ２４によって給水管２２を通して、側面のガイドプレート５、上方のガイドプレート４、下方のガイドプレート６の間に供給され、その後、水洗槽２１に水が落ち排水管２３を通してタンク２７に戻される。タンク２７に溜まった余分な水は排水管２６により排水される。第１水洗工程においては、タンク１７に溜まっている水を給水ポンプ１４によって給水管１２を通して、側面のガイドプレート５、上方のガイドプレート４、下方のガイドプレート６の間に供給され、その後、水洗槽１１に水が落ち排水管１３を通してタンク１７に戻される。タンク１７の水は、所定の期間で排水管１６のバルブを開き排水管１６を通し排水される。次に、新しい水を給水管１５のバルブを開き給水管１５を通して新しい水を給水する。
【００３１】
この構成により、フープに当たる水の流速を速くすることができ、フープを効率よく洗浄することができる。このため、水洗槽の大きさが小さくなり、給水ポンプ１４、２４、３４、側面のガイドプレート５、上方のガイドプレート４、下方のガイドプレート６および水洗槽１１、２１、３１が小型化でき、洗浄装置の小型化を図ることができる。
【産業上の利用可能性】
【００３２】
本発明にかかるリードフレーム洗浄装置は、フープに当たる水の流速を速くすることができ、フープの洗浄効果を上げることができ、水洗槽および給水ポンプが小型化できる。このため、洗浄装置の小型化を図ることができ、その結果、設備のコストダウンを図ることができるという効果を有し、めっきされたリードフレームの洗浄などの用途に有用である。
【図面の簡単な説明】
【００３３】
【図１】本発明の多段向流式のリードフレーム洗浄装置の概略図
【図２】従来の多段向流式のリードフレーム洗浄装置の概略断面図
【符号の説明】
【００３４】
１  水流
２  水流
３  水流
４  ガイドプレート
５  ガイドプレート
６  ガイドプレート
７  水洗槽
１０  第１水洗工程
１１、２１、３１  水洗槽
１２、２２、３２  給水管
１３、２３、３３  排水管
１４、２４、３４  給水ポンプ
１５、３５  給水管
１６、２６  排水管
１７、２７  タンク
２０  第２水洗工程
２５  オーバーフロー給水
３０  第３水洗工程
【図１】
2005246247.tif 000003
【図２】
2005246247.tif 000004